(57)【要約】【課題】化粧料皿等を容器本体の収納空間に着脱自在に保持する構造が簡単で、安価に製造できると共に、化粧料皿等の取り外し操作に道具は不要であり、また、外形寸法を小さく抑えることができ、さらには化粧料皿等の自在な収納を実現することができるコンパクトを提供する。【解決手段】容器本体４に形成された底部開口部１６を開閉する底蓋１７と、容器本体に形成され、一つ以上の化粧料収納皿６が交換自在に収納されるように、底部開口部と連通する収納空間７を区画形成する仕切り壁２４と、仕切り壁から収納空間上方へ迫り出す庇部２８と、庇部に形成され、収納空間に化粧料収納皿を収納したときに、当該化粧料収納皿の上縁部６ｂを係止して、その前後左右の一方向以上の移動を規制する係止爪部３０とを備え、化粧料収納皿はさらに、互いに向かい合う仕切り壁でその前後左右の一方向以上の移動が規制され、底蓋と庇部で上下の移動が規制される。【選択図】図８
2014104146.tif 000002
【特許請求の範囲】
【請求項１】
蓋体で開閉される容器本体と、該容器本体の底面に形成された底部開口部と、該底部開口部を開閉する底蓋と、上記容器本体に形成され、一つ以上の化粧料収納皿が交換自在に収納されるように、上記底部開口部と連通する少なくとも一つ以上の収納空間を区画形成する仕切り壁と、該仕切り壁から上記収納空間上方へ迫り出して形成された庇部と、該庇部に形成され、上記収納空間に化粧料収納皿を収納したときに、当該化粧料収納皿の縁部を係止して、その前後左右の一方向以上の移動を規制する係止爪部とを備え、上記収納空間に収納された化粧料収納皿はさらに、互いに向かい合う上記仕切り壁で、その前後左右の一方向以上の移動が規制されると共に、上記底蓋と上記庇部で、上下の移動が規制されることを特徴とするコンパクト。
【請求項２】
前記仕切り壁が、化粧料収納皿の少なくとも前記係止爪部で移動が規制されていない前後左右の方向の移動を規制することを特徴とする請求項１に記載のコンパクト。
【請求項３】
前記係止爪部が化粧料収納皿の前後左右いずれか一方の移動を規制し、前記仕切り壁が化粧料収納皿の前後左右いずれか他方の移動を規制することを特徴とする請求項１または２に記載のコンパクト。
【請求項４】
前記収納空間は、複数の化粧料収納皿を収納可能な大きさに形成されることを特徴とする請求項１〜３いずれかの項に記載のコンパクト。
【請求項５】
前記底蓋には、内底面から隆起させて、化粧料収納皿を前記底蓋と前記庇部とで保持するためのリブが設けられることを特徴とする請求項１〜４いずれかの項に記載のコンパクト。
【請求項６】
少なくとも一つの前記化粧料収納皿が、前記収納空間のいずれかに収納されていることを特徴とする請求項１〜５いずれかの項に記載のコンパクト。
【請求項７】
前記収納空間には、化粧具を収納する収納凹部を有する化粧具収納トレーが収納され、該化粧具収納トレーは、化粧具が前記係止爪部に干渉するのを阻止するために、上記収納凹部を該係止爪部から隔てるセパレータ部を有することを特徴とする請求項１〜６いずれかの項に記載のコンパクト。
【発明の詳細な説明】
【技術分野】
【０００１】
本発明は、化粧料皿等を容器本体の収納空間に着脱自在に保持する構造が簡単で、安価に製造できると共に、化粧料皿等の取り外し操作に道具は不要であり、また、外形寸法を小さく抑えることができ、さらには化粧料皿等の自在な収納を実現することができるコンパクトに関する。
【背景技術】
【０００２】
従来、レフィルとして交換可能な化粧料皿を複数収納する、いわゆるパレット式のコンパクト容器が知られている。特許文献１の「パレット式化粧料容器」は、中皿や化粧料皿の、個別の取り外し操作を容易に行うことができることは勿論のこと、ひとまとめにした複数の化粧料皿の取り外しも容易なパレット式化粧料容器を提供することを課題とし、凹状の中皿収納部が形成された容器本体と、容器本体の周壁の一部に設けられ、容器本体を開閉する蓋体を回動自在に連結するヒンジと、中皿収納部に着脱自在に収納され、凹状の化粧料皿収納部が複数形成された中皿と、複数の化粧料皿収納部に着脱自在に収納される複数の化粧料皿とを備え、容器本体の中皿収納部を囲繞する壁部のうちヒンジ側壁部、並びに中皿の各化粧料皿収納部を囲繞する中皿壁部には、それぞれ中皿、および各化粧料皿の取り外し操作のための切り欠きが形成されている。
【先行技術文献】
【特許文献】
【０００３】
【特許文献１】特開２００６−１３００１９号公報
【発明の概要】
【発明が解決しようとする課題】
【０００４】
上記背景技術では、容器本体及び化粧料皿等を共に合成樹脂材で形成し、係合凸部と係合凹部の係合により、化粧料皿等を化粧料皿収納部等に交換可能に保持すると共に、取り外し操作のために切り欠きを形成している。このような凹凸部分の多い形態では、容器本体及び化粧料皿等を成形する金型の構造が複雑になり、製造コストが嵩んでしまう。
【０００５】
他方、容器本体の底に孔やスリットを形成しておき、これら孔などに細い棒やコイン等の道具を差し入れて収納空間から化粧料皿等を取り外すようにした構造も知られているが、細い棒などの道具が必要であり、道具がないと交換することができないため不便である。
【０００６】
また、背景技術でも同様であるが、交換可能な化粧料皿の多くは、化粧料を充填する薄肉の金皿の外側を、容器本体に収納保持するのに細工しやすい合成樹脂材で覆い、この合成樹脂材部分で容器本体への取り付けを確保するようにしている。しかしながら、合成樹脂材部分は厚肉に形成されるため、金皿を合成樹脂材で覆って化粧料皿を二重構造にすると、一つ一つの化粧料皿の外形寸法が大きくなってしまい、パレット式に複数の化粧料皿を収納するコンパクト容器が大型化してしまう。
【０００７】
また、背景技術では、化粧料皿等の寸法の大小に対応させて、大きさの異なる専用の化粧料皿収納部等を形成するようにしていて、化粧料皿等の収納に制限があり、融通性に乏しい。
【０００８】
さらに、化粧料皿等を交換可能に複数個収納することができる単一の収納空間に、隙間が空くような形態で化粧料皿等を収納する場合、例えば、二つの化粧料皿を収納できる収納空間に一つの化粧料皿を収納すると、隙間が空いてしまい、化粧料皿が収納空間内で容易に移動してしまって、カタカタと音を発したり、化粧料皿内部の化粧料に割れが生じるなどの不都合が生じるおそれがある。
【０００９】
この場合、隙間を埋める目的で、ダミーとして空の化粧料皿等を詰め込むことが考えられるが、常時必要としない部品が必要となり、またダミーであるため紛失してしまうこともあって、エコロジーの観点からも好ましいものではない。
【００１０】
本発明は上記従来の課題に鑑みて創案されたものであって、化粧料皿等を容器本体の収納空間に着脱自在に保持する構造が簡単で、安価に製造できると共に、化粧料皿等の取り外し操作に道具は不要であり、また、外形寸法を小さく抑えることができ、さらには化粧料皿等の自在な収納を実現することができるコンパクトを提供することを目的とする。
【課題を解決するための手段】
【００１１】
本発明にかかるコンパクトは、蓋体で開閉される容器本体と、該容器本体の底面に形成された底部開口部と、該底部開口部を開閉する底蓋と、上記容器本体に形成され、一つ以上の化粧料収納皿が交換自在に収納されるように、上記底部開口部と連通する少なくとも一つ以上の収納空間を区画形成する仕切り壁と、該仕切り壁から上記収納空間上方へ迫り出して形成された庇部と、該庇部に形成され、上記収納空間に化粧料収納皿を収納したときに、当該化粧料収納皿の縁部を係止して、その前後左右の一方向以上の移動を規制する係止爪部とを備え、上記収納空間に収納された化粧料収納皿はさらに、互いに向かい合う上記仕切り壁で、その前後左右の一方向以上の移動が規制されると共に、上記底蓋と上記庇部で、上下の移動が規制されることを特徴とする。
【００１２】
前記仕切り壁が、化粧料収納皿の少なくとも前記係止爪部で移動が規制されていない前後左右の方向の移動を規制することを特徴とする。
【００１３】
前記係止爪部が化粧料収納皿の前後左右いずれか一方の移動を規制し、前記仕切り壁が化粧料収納皿の前後左右いずれか他方の移動を規制することを特徴とする。
【００１４】
前記収納空間は、複数の化粧料収納皿を収納可能な大きさに形成されることを特徴とする。
【００１５】
前記底蓋には、内底面から隆起させて、化粧料収納皿を前記底蓋と前記庇部とで保持するためのリブが設けられることを特徴とする。
【００１６】
少なくとも一つの前記化粧料収納皿が、前記収納空間のいずれかに収納されていることを特徴とする。
【００１７】
前記収納空間には、化粧具を収納する収納凹部を有する化粧具収納トレーが収納され、該化粧具収納トレーは、化粧具が前記係止爪部に干渉するのを阻止するために、上記収納凹部を該係止爪部から隔てるセパレータ部を有することを特徴とする。
【発明の効果】
【００１８】
本発明にかかるコンパクトにあっては、化粧料皿等を容器本体の収納空間に着脱自在に保持する構造が簡単で、安価に製造できると共に、化粧料皿等の取り外し操作に道具は不要であり、また、外形寸法を小さく抑えることができ、さらには化粧料皿等の自在な収納を実現することができる。
【図面の簡単な説明】
【００１９】
【図１】本発明に係るコンパクトの好適な一実施形態を示す、前方上方から見下ろした斜視図である。
【図２】図１に示したコンパクトを後方下方から見上げた斜視図である。
【図３】図１に示したコンパクトの分解斜視図である。
【図４】図１に示したコンパクトの外殻体を上方から見下ろした斜視図である。
【図５】図４中、Ａ−Ａ線矢視断面図である。
【図６】図１に示したコンパクトの平面図である。
【図７】図６中、Ｂ−Ｂ線矢視断面図である。
【図８】図７中、Ｃ部拡大図である。
【図９】図１に示したコンパクトの外殻体に皿枠体を取り付けた状態を、容器本体の底面側から見た斜視図である。
【図１０】図１に示したコンパクトの収納空間に化粧料収納皿を一部収納した様子を示す底面図である。
【図１１】図１のコンパクトに収納される化粧料収納皿の底面を示す斜視図である。
【図１２】図１のコンパクトの収納空間に、化粧具を収納する化粧具収納トレーを収納した状態を示す部分拡大断面図である。
【図１３】図１のコンパクトに化粧料収納皿等を収納するパターンを示す説明図である。
【発明を実施するための形態】
【００２０】
以下に、本発明に係るコンパクトの好適な一実施形態を、添付図面を参照して詳細に説明する。図１は、本実施形態に係るコンパクト１を前方上方から見下ろした斜視図、図２は、図１に示したコンパクト１を後方下方から見上げた斜視図、図３は、図１に示したコンパクト１の分解斜視図、図４は、図１に示したコンパクト１の外殻体２を上方から見下ろした斜視図、図５は、図４中、Ａ−Ａ線矢視断面図、図６は、図１に示したコンパクト１の平面図、図７は、図６中、Ｂ−Ｂ線矢視断面図、図８は、図７中、Ｃ部拡大図、図９は、図１に示したコンパクト１の外殻体２に皿枠体３を取り付けた状態を、容器本体４の底面４ａ側から見た斜視図、図１０は、図１に示したコンパクト１の収納空間７に化粧料収納皿５，６を一部収納した様子を示す底面図、図１１は、図１のコンパクト１に収納される化粧料収納皿５，６の底面５ａ，６ａを示す斜視図、図１２は、図１のコンパクト１の収納空間７に、化粧具８を収納する化粧具収納トレー９を収納した状態を示す部分拡大断面図、図１３は、図１のコンパクト１に化粧料収納皿５，６等を収納するパターンを示す説明図である。
【００２１】
図１〜図３に示すように、本実施形態に係るコンパクト１は化粧料収納皿５，６を交換可能に収納するものであって、主として、複数の化粧料収納皿５，６を収納するための容器本体４と、容器本体４の後端にヒンジピン１０を介してその後端が回動自在に取り付けられ、回動操作されて容器本体４を開閉する蓋体１１とから構成される。
【００２２】
蓋体１１の前端に形成した係止突起１２を、容器本体４の前端に形成した係合突起１３に係脱自在に係合することで、蓋体１１による容器本体４の閉止状態が保持される。容器本体４の前端にスライド自在に設けたプッシュピース１４を押圧操作すると、係合突起１３から係止突起１２が離脱し、これにより、蓋体１１による容器本体４の閉止状態が解除されて、蓋体１１を回動することにより容器本体４を開放できるようになっている。
【００２３】
これら容器本体４及び蓋体１１は、合成樹脂材で形成される。蓋体１１の内面には、鏡１５が取り付けられる。本実施形態では、ヒンジピン１０により回動自在に容器本体４に取り付けられる蓋体１１を例示しているが、容器本体４に対し、取り付け取り外しされる形態の蓋体であっても良いことはもちろんである。
【００２４】
容器本体４は、コンパクト１の外回りを構成する平面長方形の枠状の外殻体２と、外殻体２の内方に装着される平面「日」の字形状の皿枠体３とから構成される。皿枠体３は、化粧料収納皿５，６の収納空間７を形成する（図７，８等参照）。
【００２５】
外殻体２が平面長方形の枠状であることから、容器本体４の底面４ａには、長方形の底部開口部１６が形成される。この底部開口部１６には、合成樹脂製のプレート状の底蓋１７が着脱自在に設けられる。底蓋１７を外殻体２に装着することで、容器本体４の底部開口部１６が閉じられ、離脱することで、底部開口部１６が開放される。
【００２６】
図３〜図５に示すように、底蓋１７の外殻体２への着脱機構は、底蓋１７の前端縁及び後端縁に、底部開口部１６に面して形成された溝形態の係止部１８と、底部開口部１６の前端縁及び後端縁に、当該底部開口部１６内方へ突出させて形成された突起１９と、底蓋１７の左端縁もしくは右端縁に形成されたロック爪２０と、底部開口部１６にロック爪２０位置に対応させて形成された嵌合溝２１とから構成される。
【００２７】
図示例では、係止部１８は、底蓋１７の前端縁及び後端縁それぞれに、その長さ方向に沿って間隔を隔てて三つずつ、六箇所に設けられる。突起１９も、係止部１８に合わせて、底部開口部１６の前端縁及び後端縁それぞれに、その長さ方向に沿って間隔を隔てて三つずつ、六箇所に設けられる。
【００２８】
底蓋１７を、その係止部１８が突起１９に重なり合わないようにして、外殻体２の底部開口部１６にあてがい、その後、溝形態の係止部１８が突起１９に向かって近づく方向へ、底蓋１７を外殻体２に対してスライド移動する。このように底蓋１７をスライド移動すると、六箇所すべてで、各係止部１８の溝に各突起１９が入り込んで係止状態となり、さらにロック爪２０が嵌合溝２１と係合して、これにより底蓋１７が外殻体２に装着され、容器本体４の底部開口部１６が閉じられる。このように複数箇所で係止部１８と突起１９の係止状態が得られることにより、底蓋１７に歪みが生じることを防止することができる。係止部１８や突起１９の数は、前・後端縁に二つずつなど、四箇所以上に設けるようにすればよい。
【００２９】
底蓋１７を外殻体２から離脱して容器本体４の底部開口部１６を開放するときには、底蓋１７の外底面の凹み部２２を利用して、係止部１８の溝から突起１９が抜け出す方向へ、外殻体２に対し底蓋１７を押圧操作する。押圧操作により、ロック爪２０が嵌合溝２１から離脱し、底蓋１７はスライド移動可能となる。底蓋１７をスライド移動すると、６箇所すべてで、各係止部１８の溝から各突起１９が外れて離脱状態となり、これにより外殻体２からの底蓋１７の取り外しが可能となって、容器本体４の底部開口部１６が開放される。
【００３０】
皿枠体３は、図３，図９及び図１０に示すように、容器本体４の上面を形成する平面「日」の字形状の上面板部２３と、上面板部２３の下側に一体的に形成される平面「日」の字形状の仕切り壁２４とから構成される。
【００３１】
皿枠体３の外殻体２への取付機構は、枠状の外殻体２内方に収まる外形寸法で形成された上面板部２３の周縁に、その周方向に沿う適宜位置から外向きに突出させて形成された装着爪２５と、装着爪２５位置に対応して外殻体２から内向きに突出させて形成された嵌合爪２６とから構成される。上面板部２３を外殻体２の枠内方へ挿入すると、装着爪２５が嵌合爪２６を乗り越えて嵌合され、これにより上面板部２３、すなわち皿枠体３が外殻体２に取り付けられ保持される。
【００３２】
外殻体２に保持された皿枠体３の仕切り壁２４は、これで周囲を取り囲んで、容器本体４内に収納空間７を区画形成する。本実施形態では、仕切り壁２４が平面「日」の字形状であるので、同じ大きさの二つの収納空間７が容器本体４の前後方向に並べて形成される。各収納空間７は、容器本体４の左右方向に長く、容器本体４の前後方向に短い長さ寸法の長方形状に形成される。仕切り壁２４及び上面板部２３の取り出し口２７を様々に設定することで、一つの収納空間７を形成しても良いし、三つ以上の収納空間７を形成するようにしてもよい。収納空間７は二つ以上形成することが、特に好ましい。
【００３３】
これら収納空間７は、底蓋１７で開閉される底部開口部１６と連通される。また、これら収納空間７それぞれは、平面「日」の字形状の上面板部２３によって区画形成される二つの各取り出し口２７に面し、蓋体１１によって開閉される容器本体４の上面に露出される。従って、これら取り出し口２７も、容器本体４の左右方向に長く、前後方向に短い長方形状の輪郭で、容器本体４の前後方向に並べて形成される。
【００３４】
仕切り壁２４は、上面板部２３に形成される各取り出し口２７の口縁位置よりも奥まった位置に形成される。仕切り壁２４と取り出し口２７の位置関係により、仕切り壁２４には、容器本体４（皿枠体３）の上面板部２３を利用して、当該仕切り壁２４から各収納空間７上方へ迫り出す形態で、環状の庇部２８が形成される。庇部２８は、仕切り壁２４のどの位置に形成してもよいが、仕切り壁２４の上面から形成することが好ましい。
【００３５】
図３及び図１０に示すように、仕切り壁２４で区画した収納空間７には、底蓋１７が取り外されて開放された底部開口部１６から、化粧料Ｐを充填した化粧料収納皿５，６がレフィルとして交換自在に、すなわち着脱自在に収納される。化粧料収納皿５，６は薄肉に成形でき、かつ十分な強度を有することから、金属製のものを用いることが好ましい。しかしながら、薄くて必要強度を確保できれば、樹脂製やその他の素材で形成しても良いことはもちろんである。以下、化粧料収納皿５，６として、金皿を用いた例で説明する。本実施形態では、２種類の化粧料収納皿５，６が示されている。第１化粧料収納皿５は、収納空間７にぴったり納まるように、その内法寸法よりも僅かに小さな外形寸法の長方形状で形成される。
【００３６】
第２化粧料収納皿６は、コンパクト１（容器本体４）の前後方向で互いに向かい合う仕切り壁２４間寸法よりも僅かに小さな長さ寸法を一辺とし、他辺がコンパクト１の左右方向で互いに向かい合う仕切り壁２４間寸法を二分した長さ寸法よりも僅かに小さな長さ寸法の長方形状で形成される。従って、各収納空間７には、第１化粧料収納皿５が一つ、あるいは第２化粧料収納皿６が二つ収納されるようになっている。
【００３７】
第２化粧料収納皿６については、言い換えれば、収納空間７は、複数の第２化粧料収納皿６を収納することが可能な大きさに形成されていて、必要に応じて、一つまたは二つの第２化粧料収納皿６が収納されるようになっている。第２化粧料収納皿６は、コンパクト１の左右方向に沿う寸法を種々設定することで、収納空間７に三つ以上収納できるようにしてもよい。
【００３８】
本実施形態では、第２化粧料収納皿６は、容器本体４の前後方向に互いに向かい合う仕切り壁２４によって挟み込まれて、容器本体４前後方向への移動が規制される。なお、第１化粧料収納皿５は、収納空間７を形成する周囲の仕切り壁２４に取り囲まれて、容器本体４の前後左右両方向の移動が規制される。
【００３９】
図示にあっては、向かい合う仕切り壁２４が、第２化粧料収納皿６の前後方向への移動を規制するものとして示されているが、これら仕切り壁２４は要するに、収納空間７に収納された化粧料収納皿の前後左右の一方向以上の移動を規制する機能を備えればよい。
【００４０】
さらに、これら第１及び第２化粧料収納皿５，６は、底部開口部１６を閉じる底蓋１７と皿枠体３の上面板部２３との間に収まる高さ寸法で形成される。
【００４１】
化粧料収納皿５，６には、図１０及び図１１に示すように、その底面５ａ，６ａに、合成樹脂製などの薄肉の摘み用シート片２９が設けられる。摘み用シート片２９は、そのほぼ中央部に設定された折り線２９ａで折り返し自在に形成され、折り線２９ａで分けられた一方の領域２９ｂの裏面に塗布された接着剤で化粧料収納皿５，６に接着され、折り返しで立ち上がる他方の領域が摘み２９ｃとされる。化粧料収納皿５，６を収納空間７に収納したときには、摘み２９ｂは伏せられて、摘み用シート片２９は平らな状態とされる。
【００４２】
化粧料収納皿５，６を収納空間７に収納したとき、図８に示すように、化粧料収納皿５，６の上縁部５ｂ，６ｂは、庇部２８下に隠蔽される。これにより、化粧料収納皿５，６内に充填された化粧料Ｐだけが上面板部２３の取り出し口２７に現れるので、蓋体１１を開放したときの容器本体４上面の美麗さを確保することができる。
【００４３】
図６〜図８に示すように、化粧料収納皿５，６の上縁部５ｂ，６ｂを隠蔽する庇部２８のうち、容器本体４の左右方向に位置する庇部２８下には、これより垂下して、収納空間７に収納された化粧料収納皿５，６の上縁部５ｂ，６ｂに、当該化粧料収納皿５，６内方から係止される係止爪部３０が形成される。
【００４４】
本実施形態にあっては、係止爪部３０は、容器本体４の左右方向に位置する左右の仕切り壁２４に面して形成されて、仕切り壁２４との間で化粧料収納皿５，６の上縁部５ｂ，６ｂを挟み込んで係止する。係止爪部３０のみで化粧料収納皿５，６を係止するようにしても良いことはもちろんである。そして係止爪部３０は例えば、収納空間７の右端に収納した第２化粧料収納皿６の上縁部６ｂを、左側から係止することにより、当該第２化粧料収納皿６が左方向へ移動することを規制するようになっている。
【００４５】
図示にあっては、係止爪部３０が、第２化粧料収納皿６の左方向への移動を規制するものとして示されているが、係止爪部３０は要するに、収納空間７に収納された化粧料収納皿の前後左右の一方向以上の移動を規制する機能を備えればよい。
【００４６】
概括的には第２化粧料収納皿６の移動規制ついては、仕切り壁２４が、少なくとも係止爪部３０で当該第２化粧料収納皿６の移動が規制されていない前後左右の方向の移動を規制し、係止爪部３０が第２化粧料収納皿６の前後左右いずれか一方の移動を規制している場合、仕切り壁２４が第２化粧料収納皿６の前後左右いずれか他方の移動を規制するように構成される。もちろん、収納空間７内における第１化粧料収納皿５に対する保持状態のように、係止爪部３０及び仕切り壁２４双方で同一方向の移動規制を行うようにしてもよい。さらに、係止爪部３０の幅寸法を化粧料収納皿５，６のいずれかの辺の長さ寸法程度に設定することで、当該係止爪部３０単独で化粧料収納皿５，６の前後及び左右双方への移動を規制することもできる。
【００４７】
そしてさらに、収納空間７に収納された化粧料収納皿５，６は、上述のようにして前後左右方向の移動が規制されることに加え、底蓋１７で底部開口部１６を閉じることにより、底蓋１７と庇部２８との間で、上下方向移動が規制される。
【００４８】
底蓋１７には、収納空間７、すなわち化粧料収納皿５，６の底面５ａ，６ａに面する内底面１７ａにこれより隆起させて、複数本のリブ３１が平行に形成される。これらリブ３１は、化粧料収納皿５，６の底面５ａ，６ａに複数箇所で線接触して当該化粧料収納皿５，６を庇部２８に押し当て、これにより底蓋１７と庇部２８とで化粧料収納皿５，６を安定的に保持するようになっている。リブ３１は適宜に形成すればよく、その本数は問われない。
【００４９】
収納空間７には、化粧料収納皿５，６だけでなく、これに代えて、図１２及び図１３（ｃ）に示すような化粧具８を収納する平面長方形状の化粧具収納トレー９を収納するようにしても良い。化粧具収納トレー９は合成樹脂材で形成され、第１化粧料収納皿５と同じ外形寸法で形成される。化粧具収納トレー９には、刷毛などの化粧具８を収納する収納凹部３２が形成される。
【００５０】
化粧具収納トレー９には、収納凹部３２から出し入れされる化粧具８が係止爪部３０と干渉しないように、係止爪部３０に面する縁部に、セパレータ部として幅広な鍔部３３が形成される。鍔部３３には、係止爪部３０を避ける切り欠き部３４が形成される。幅広の鍔部３３により、収納凹部３２が係止爪部３０から適宜な距離隔てられ、これにより、収納凹部３２に出し入れされる化粧具８が係止爪部３０と干渉することが阻止される。
【００５１】
収納空間７に収納された化粧具収納トレー９は、容器本体４の前後方向については化粧料収納皿５，６と同様に、前後の仕切り壁２４に挟み込まれて、その前後方向移動が規制される。また容器本体４の左右方向については、化粧具収納トレー９は、切り欠き部３４で係止爪部３０を避けた状態で、鍔部３３が左右の仕切り壁２４に当接され、これにより化粧具収納トレー９は、その左右方向への移動が規制される。また上下方向についても、化粧具収納皿５，６と同様に、底蓋１７と庇部２８により、その上下方向への移動が規制される。
【００５２】
次に、本実施形態に係るコンパクト１の作用について説明する。本実施形態に係るコンパクト１は、外殻体２に皿枠体３を装着して保持させて構成した容器本体４に対して、ヒンジピン１０を介して鏡１５付の蓋体１１を回動自在に取り付け、さらに、容器本体４の底部開口部１６に底蓋１７を取り付けることにより、ケースとしてのコンパクト１を製造することができる。
【００５３】
その後、底蓋１７を取り外して底部開口部１６から化粧料収納皿５，６や、必要に応じて化粧具収納トレー９を収納空間７に収納し、その後底蓋１７で底部開口部１６を閉じることにより、使用形態のコンパクト１とすることができる。
【００５４】
コンパクト１を使用する際には、プッシュピース１４を操作して蓋体１１による容器本体４の閉止状態を解除することで、蓋体１１を回動して容器本体４を開放する。容器本体４を開放すると、皿枠体３の取り出し口２７に、化粧料収納皿５，６に充填されている化粧料Ｐや化粧具収納トレー９に収納されている化粧具８が露出され、化粧操作をすることができる。
【００５５】
本実施形態に係るコンパクト１では、第２化粧料収納皿６を収納空間７に収納すると、収納空間７の右端あるいは左端に位置する第２化粧料収納皿６の上縁部６ａが庇部２８下の係止爪部３０に係止される。係止爪部３０に係止された第２化粧料収納皿６は、収納空間７内での左右方向への移動が規制されるとともに、前後方向の仕切り壁２４により前後方向への移動が規制され、底蓋１７と庇部２８（上面板部２３）により上下方向への移動が規制され、これにより収納空間７内部にガタツクことなく収納される。すなわち、収納空間７に収納した化粧料収納皿５，６を、接着材などを用いることなく確実に固定することができる。従って、取り出しに不都合が生じることがない。
【００５６】
本実施形態では、二つの第２化粧料収納皿６が単一の収納空間７内部で右側と左側とに寄せられて収納され、いずれも係止爪部３０に係止されて、安定的に位置保持される。例えば、単一の収納空間７に三つ以上の化粧料収納皿６を収納する場合には、左右の化粧料収納皿６を係止爪部３０に保持させると、中央に並ぶ化粧料収納皿６は、左右の化粧料収納皿６に挟まれてガタツクことなく位置保持される。
【００５７】
他方、第１化粧料収納皿５や化粧具収納トレー９は、これを四方から取り囲む仕切り壁２４によって前後左右方向への移動が規制され、また底蓋１７と庇部２８とで上下方向への移動が規制されて、収納空間７内部にガタツクことなく収納される。
【００５８】
背景技術と対比して説明すると、上述したように、化粧料皿等を交換可能に複数個収納することができる単一の収納空間に、隙間が空くような形態で化粧料皿等を収納する場合、例えば、二つの化粧料皿を収納できる収納空間に一つの化粧料皿を収納すると、隙間が空いてしまい、化粧料皿が収納空間内で容易に移動してしまって、カタカタと音を発したり、化粧料皿内部の化粧料に割れが生じるなどの不都合が生じるおそれがあるが、本実施形態では、係止爪部３０で化粧料収納皿５，６をしっかりと保持できるので、当該不都合を解消することができる。従って、隙間を埋める目的で用意されるダミー等は不要であって、省資源に資することができる。
【００５９】
図１３には、収納空間７への化粧料収納皿５，６及び化粧具収納トレー９の収納パターンの例が示されている。図１３（ａ）は、第２化粧料収納皿６を四つ、二つの収納空間７に収納するパターンである。図１３（ｂ）は、一方の収納空間７の左側に寄せて、第２化粧料収納皿６を一つ収納し、右側を空けておいて使用するパターンである。この場合、第２化粧料収納皿６は、左側上縁部６ａが左側の係止爪部３０に係止される。
【００６０】
図１３（ｃ）は、第１化粧料収納皿５と化粧具収納トレー９を並べて収納するパターンである。収納パターンはこれらに限られず、化粧料収納皿５，６等をどのような配列で収納しても良いことはもちろんである。
【００６１】
また、金属製の化粧料収納皿５，６は成型上、僅かながら寸法にバラツキが生じ易いが、合成樹脂製の底蓋１７の内底面１７ａから隆起させて、化粧料収納皿５，６の底面５ａ，６ａに線接触する複数本のリブ３１を形成しているので、寸法にバラツキのある化粧料収納皿５，６個々にリブ３１がフィットして、これら化粧料収納皿５，６を庇部２８へ向かって押し当てて、ガタツキなく適切に保持することができる。
【００６２】
化粧料収納皿５，６に代えて、化粧具収納トレー９を収納空間７へ収納する場合を考慮して、当該化粧具収納トレー９に、化粧具８収納用の収納凹部３２を係止爪部３０から隔てる幅広な鍔部３３を設けたので、化粧具８が係止爪部３０に引っ掛かるなど、干渉が生じることを阻止することができ、化粧具８をスムーズに取り扱うことができる。
【００６３】
そして本実施形態に係るコンパクト１では、収納空間７内部に種々の配列パターンで交換可能に収納される化粧料収納皿５，６をガタツキなく位置保持する構成として、背景技術のように複雑な構造の金型を用いることなく、収納空間７を構成するために本来備えられる底蓋１７、上面板部２３、並びに仕切り壁２４に対し、係止爪部３０を備えるだけでよく、化粧料収納皿５，６等を容器本体４の収納空間７に着脱自在に保持する構造がきわめて簡単であって、コンパクト１の製造コストを低減することができる。
【００６４】
また、化粧料収納皿５，６の交換にあたっては、底蓋１７を容器本体４から取り外すだけでよく、背景技術のように、取り外し操作のための道具が不要であって、高い利便性を発揮することができる。
【００６５】
また、収納空間７内部での化粧料収納皿５，６の移動規制を、係止爪部３０による係止作用で行うようにしたので、合成樹脂材で二重構造にすることなく、当該化粧料収納皿５，６単体で収納空間７への収納・保持を確保することができ、とりわけ、化粧料Ｐを充填する部品を薄肉な金属製の金皿５，６のみとした場合には、コンパクト１の外形寸法を小さく抑えることができる。
【００６６】
さらに、収納空間７を、複数の第２化粧料収納皿６を収納可能な大きさに形成して、少なくとも一つの第２化粧料収納皿６を収納することができるので、単一の収納空間７に対し、種々の配列パターンで第２化粧料収納皿６を収納でき、収納の融通性に優れる。
【００６７】
化粧料収納皿５，６は成形上僅かながら寸法にバラツキが生じ易いが、複数本のリブ３１を線接触させることで、寸法にバラツキのある化粧料収納皿５，６が収納空間７に収納されても、これら化粧料収納皿５，６の底面５ａ，６ａにフィットして化粧料収納皿５，６を適切に庇部２８へ向かって押し当てることができる。
【００６８】
また、化粧料収納皿５，６等の底面５ａ，６ａに合成樹脂製の薄肉な摘み用シート２９を設けたので、摘み２９ｃを立ち上げて手で持ち上げることにより、容易に化粧料収納皿５，６等を収納空間７から取り出すことができる。また、摘み用シート２９は、化粧料収納皿５，６の収納時、底蓋１７と化粧料収納皿５，６との間に介在するので、コンパクト１が落下したときなどに底蓋１７から化粧料収納皿５，６に伝えられる衝撃を弱める緩衝作用を発揮し、化粧料Ｐの割れなどを防止することができる。
【００６９】
上記実施形態では、コンパクト１（容器本体４）の前後方向に収納空間７を並べ、各収納空間７では、コンパクト１（容器本体４）の左右方向に第２化粧料収納皿６を並べる場合を例にとって説明したが、収納空間７はコンパクト１の左右方向に並べるようにしても良く、そしてこの場合、第２化粧料収納皿６はコンパクト１の前後方向に並べるようにしても良い。この場合、係止爪部３０は、コンパクト１の前後方向に位置する庇部２８下に形成される。
【００７０】
上記実施形態では、収納空間７への化粧具８の収納に化粧具収納トレー９を用意するようにしたが、底蓋１７には、リブ３１を除き、化粧料収納皿５，６を保持するための突起等がないので、収納空間７に直接、チップなどの化粧具８を収納することもできる。
【符号の説明】
【００７１】
１  コンパクト
４  容器本体
４ａ  容器本体の底面
５，６  化粧料収納皿
５ｂ，６ｂ  化粧料収納皿の上縁部
７  収納空間
８  化粧具
９  化粧具収納トレー
１１  蓋体
１６  底部開口部
１７  底蓋
２３  上面板部
２４  仕切り壁
２８  庇部
３０  係止爪部
３１  リブ
３２  収納凹部
３３  鍔部
【図１】
2014104146.tif 000003
【図２】
2014104146.tif 000004
【図３】
2014104146.tif 000005
【図４】
2014104146.tif 000006
【図５】
2014104146.tif 000007
【図６】
2014104146.tif 000008
【図７】
2014104146.tif 000009
【図８】
2014104146.tif 000010
【図９】
2014104146.tif 000011
【図１０】
2014104146.tif 000012
【図１１】
2014104146.tif 000013
【図１２】
2014104146.tif 000014
【図１３】
2014104146.tif 000015